(57)【特許請求の範囲】
【請求項１】
間欠受信（ＤＲＸ）を実行する無線送信／受信ユニット（ＷＴＲＵ：wireless transmit/receive unit）のための方法であって、
前記ＷＴＲＵがＤＲＸオン期間タイマーを操作することであって、前記ＤＲＸオン期間タイマーは、ＤＲＸサイクルの開始時に連続する物理ダウンリンク制御チャネル（ＰＤＣＣＨ）サブフレームの数を指定すること、
前記ＷＴＲＵがＤＲＸ非活動タイマーを操作することであって、前記ＤＲＸ非活動タイマーは、前記ＷＴＲＵに対する最初のアップリンクまたはダウンリンクのユーザデータ送信を示すＰＤＣＣＨ送信の復号に成功した後で、前記ＷＴＲＵがＰＤＣＣＨを監視する間に、連続する送信時間間隔（ＴＴＩ）の数を指定すること、
前記ＷＴＲＵが、第１のＤＲＸ媒体アクセス制御（ＭＡＣ）の制御要素（ＣＥ）を受信すること、および
前記第１のＤＲＸ  ＭＡＣ  ＣＥを受信すると、ＤＲＸ短期サイクルタイマーを停止して、長期ＤＲＸサイクルを使用すること
を備えた特徴とする方法。
【請求項２】
前記ＷＴＲＵが、第２のＤＲＸ  ＭＡＣ  ＣＥを受信すること、
前記ＷＴＲＵが、前記受信した第２のＤＲＸ  ＭＡＣ  ＣＥに基づいて、前記ＤＲＸオン期間タイマーおよび前記ＤＲＸ非活動タイマーを停止すること、および
前記第２のＤＲＸ  ＭＡＣ  ＣＥを受信して前記ＤＲＸオン期間タイマーおよび前記ＤＲＸ非活動タイマーを停止すると、前記ＷＴＲＵが、短期ＤＲＸサイクルが構成されているか否かを判定することであって、
前記ＷＴＲＵが、前記短期ＤＲＸサイクルが構成されていると判定した条件の下で、前記ＷＴＲＵが、ＤＲＸ短期サイクルタイマーを開始し、前記短期ＤＲＸサイクルを使用すること、および
前記ＷＴＲＵが、前記短期ＤＲＸサイクルが構成されていないと判定した条件の下で、前記ＷＴＲＵが、長期ＤＲＸサイクルを使用することと
を備えたことを特徴とする請求項１に記載の方法。
【請求項３】
前記ＷＴＲＵが、ダウンリンク送信に関連付けられた第１のタイプのＤＲＸ  ＭＡＣ  ＣＥを受信することをさらに備えた特徴とする請求項２に記載の方法。
【請求項４】
前記ＷＴＲＵが、前記第１のタイプのＤＲＸ  ＭＡＣ  ＣＥを受信することに基づいて、ダウンリンク送信に関連する少なくとも１つの実行中のＤＲＸタイマーを停止することを備えた特徴とする請求項３に記載の方法。
【請求項５】
前記ＷＴＲＵが、アップリンク送信に関連付けられた第２のタイプのＤＲＸ  ＭＡＣ  ＣＥを受信することをさらに備えた特徴とする請求項２に記載の方法。
【請求項６】
前記ＷＴＲＵが、前記第２のタイプのＤＲＸ  ＭＡＣ  ＣＥの受信に基づいて、アップリンク送信に関連する少なくとも１つの実行中のＤＲＸタイマーを停止することをさらに備えた特徴とする請求項５に記載の方法。
【請求項７】
無線送信／受信ユニット（ＷＴＲＵ：wireless transmit/receive unit）であって、
ＤＲＸオン期間タイマーを操作することであって、前記ＤＲＸオン期間タイマーは、ＤＲＸサイクルの開始時に連続する物理ダウンリンク制御チャネル（ＰＤＣＣＨ）サブフレームの数を指定し、
ＤＲＸ非活動タイマーを操作することであって、前記ＤＲＸ非活動タイマーは、前記ＷＴＲＵに対する最初のアップリンクまたはダウンリンクのユーザデータ送信を示すＰＤＣＣＨ送信の復号に成功した後で、前記ＷＴＲＵがＰＤＣＣＨを監視する間に、連続する送信時間間隔（ＴＴＩ）の数を指定し、
第１のＤＲＸ媒体アクセス制御（ＭＡＣ）の制御要素（ＣＥ）を受信し、および
前記第１のＤＲＸ  ＭＡＣ  ＣＥを受信すると、ＤＲＸ短期サイクルタイマーを停止して、長期ＤＲＸサイクルを使用する
ように構成されたプロセッサを備えたことを特徴とするＷＴＲＵ。
【請求項８】
前記プロセッサは、
第２のＤＲＸ  ＭＡＣ  ＣＥを受信し、
前記第２のＤＲＸ  ＭＡＣ  ＣＥを受信することに基づいて、前記ＤＲＸオン期間タイマーおよび前記ＤＲＸ非活動タイマーを停止し、
前記ＷＴＲＵが、前記第２のＤＲＸ  ＭＡＣ  ＣＥを受信して前記ＤＲＸオン期間タイマーおよび前記ＤＲＸ非活動タイマーを停止すると、短期ＤＲＸサイクルが構成されているか否かを判定するように構成され、
前記短期ＤＲＸサイクルが構成されていると判定した条件の下で、前記プロセッサは、ＤＲＸ短期サイクルタイマーを開始し、前記短期ＤＲＸサイクルを使用するようにさらに構成され、および
前記短期ＤＲＸサイクルが構成されていないと判定した条件の下で、前記プロセッサは、長期ＤＲＸサイクルを使用するようにさらに構成された
ことを特徴とする請求項７に記載のＷＴＲＵ。
【請求項９】
前記プロセッサが、ダウンリンク送信に関連付けられた第１のタイプのＤＲＸ  ＭＡＣ  ＣＥを受信するようにさらに構成されたことを特徴とする請求項８に記載のＷＴＲＵ。
【請求項１０】
前記プロセッサが、前記第１のタイプのＤＲＸ  ＭＡＣ  ＣＥを受信することに基づいて、ダウンリンク送信に関連する少なくとも１つの実行中のＤＲＸタイマーを停止するようにさらに構成されたことを特徴とする請求項９に記載のＷＴＲＵ。
【請求項１１】
前記プロセッサが、アップリンク送信に関連付けられた第２のタイプのＤＲＸ  ＭＡＣ  ＣＥを受信するようにさらに構成されたことを特徴とする請求項８に記載のＷＴＲＵ。
【請求項１２】
前記プロセッサが、前記第２のタイプのＤＲＸ  ＭＡＣ  ＣＥを受信することに基づいて、アップリンク送信に関連する少なくとも１つの実行中のＤＲＸタイマーを停止するようにさらに構成されたことを特徴とする請求項１１に記載のＷＴＲＵ。
【発明の詳細な説明】
【技術分野】
【０００１】
本願は、無線通信に関する。
【背景技術】
【０００２】
３ＧＰＰ（Third Generation Partnership Project）において、ネットワークとユーザ機器（ＵＥ：User Equipment）との間で間欠受信（ＤＲＸ：discontinuous reception）が用いられ、ＵＥの電力を節約している。無線リソース制御／媒体アクセス制御（ＲＲＣ／ＭＡＣ：radio resource control/media access control）によって、ＵＥがパケットデータ制御チャネル（ＰＤＣＣＨ：packet data control channel）の監視を一定期間（即ち、スリープ(sleep)期間）停止できるようにするＤＲＸ機能性をＵＥに構成することができる。ＤＲＸの機能性は、ＤＲＸ長期サイクル、ＤＲＸ非活動タイマー、およびＤＲＸ再送信タイマーから成る。ＤＲＸ機能性は、ＤＲＸ短期サイクルおよびＤＲＸ短期サイクルタイマーを任意に含み、それらのすべては３ＧＰＰ仕様において定義される。ＤＲＸ長期サイクルは、ＤＲＸ短期サイクルよりも長いスリープ期間をＵＥに提供する。
【０００３】
活動時間は、ＵＥが起動している時間として定義される。ＤＲＸが上位層によって構成される時、これは、ＤＲＸ非活動タイマーが満了していない間にＵＥが継続してＰＤＣＣＨを監視している時間と、任意のＤＲＸ再送信タイマーが実行している間にＵＥが継続してＰＤＣＣＨを監視している時間とであるオン期間を含む。
【０００４】
図１に示すように、ＤＲＸサイクルは、オン期間の後に起こり得る非活動期間が続く、周期的反復を指定する。ＤＲＸ非活動タイマーは、ＵＥが最初の上り方向または下り方向のＵＥのユーザデータ送信を示すＰＤＣＣＨ送信の復号に成功した後で、そのＰＤＣＣＨ送信を監視する間に連続する送信時間間隔（ＴＴＩ：transmission time interval）の数を指定する。このＤＲＸ非活動タイマーは、タイマーがなおも実行中に新しいＰＤＣＣＨ送信が検出された場合にリスタートされる。ＤＲＸ非活動タイマーの満了は、任意のＰＤＣＣＨ送信の受信に対して特定の非活動期間が経過したことを示す。ＤＲＸ再送信タイマーは、下り方向の再送信をＵＥが求める時に、ＵＥがＰＤＣＣＨを監視する最大数の連続するＴＴＩを指定する。ＤＲＸ短期サイクルタイマーは、ＤＲＸ非活動タイマーが満了した後で、ＵＥがＤＲＸ短期サイクルに従わなければならない連続するＴＴＩの数を指定する。ＨＡＲＱ（hybrid automatic repeat-request）のＲＴＴ（round-trip time）タイマーは、下り方向のＨＡＲＱ再送信をＵＥが求める前に、最小量のＴＴＩを指定する。ＤＲＸオン期間タイマーは、ＤＲＸサイクルの開始時に連続するＰＤＣＣＨサブフレームの数を指定し、ＵＥが割り当てるＰＤＣＣＨを監視する間に連続するＴＴＩの数を指定する。ＤＲＸオン期間は、ＤＲＸサイクルの一部である。
【０００５】
上述のように、ＲＲＣ／ＭＡＣによって、ＵＥが一定期間ＰＤＣＣＨの監視を停止できるようにするＤＲＸ機能性をＵＥに構成することができる。ＵＥがＰＤＣＣＨを監視するか否かにかかわらず、ＵＥは、ＨＡＲＱフィードバックの送受信を求められる時にそれを行う。
【発明の概要】
【発明が解決しようとする課題】
【０００６】
ＤＲＸ短期サイクルまたはＤＲＸ長期サイクルを選択する間に、さまざまなＤＲＸタイマーの相互作用によって生じ得る問題の実証として、図２にＤＲＸサイクルの例示的なタイミング図２００を図示する。図２に示すように、最初のＤＲＸ非活動タイマーの開始２０１は、ＤＲＸオン期間内の任意のサブフレームまたはＴＴＩ期間に起こり得る。ＤＲＸ非活動タイマーの期間２０２が確定される。しかしながら、要求され得るＤＲＸ非活動タイマーのリスタート２０３の未確定数に加え、最初のＤＲＸ非活動タイマー２０１の１番目の開始での不確実性に起因して、ＤＲＸ非活動タイマーの満了は、ｅノードＢとＵＥとの両方にとって不確実である。ＤＲＸ非活動タイマーが満了する時にＤＲＸ短期サイクルタイマーを開始するように構成した場合、新しいＤＲＸ短期サイクルタイマーは、不確実なサブフレームまたはＴＴＩにおいて開始される。その結果、ｅノードＢは、ＤＲＸ短期サイクルタイマーがいつ開始されるかを確実に認識していないので、ＤＲＸ短期サイクルは、ＤＲＸ長期サイクルともはや同調できない。
【課題を解決するための手段】
【０００７】
ＤＲＸ短期サイクルもしくはＤＲＸ長期サイクルの選択、ＤＲＸ短期サイクルタイマーを開始すること、ＤＲＸタイマーの終結および満了を制御すること、およびこれらのＤＲＸパラメータを制御するために定義されたＭＡＣ制御要素を処理することに対する方法および装置が開示される。その方法および装置は、下り方向の送信と上り方向の送信との両方でRRC_Connectedモードに適用できる。
【図面の簡単な説明】
【０００８】
添付図面と共に例示として与えられた以下の説明から、より詳細な理解を得ることができる。
【図１】例示的なＤＲＸサイクルを示す図である。
【図２】ＤＲＸ非活動タイマーの動作に関連する例示的な不確実性を例示する図である。
【図３】複数の無線送信／受信ユニット（ＷＴＲＵ）および基地局を含む例示的な無線通信システムを示す図である。
【図４】図３のＷＴＲＵおよび基地局の機能ブロック図である。
【図５】第１の実施形態に従って、ＤＲＸ非活動タイマーが満了する時に、ＤＲＸ短期サイクルおよびＤＲＸ長期サイクルを選択するための方法フローチャートである。
【図６】第２の実施形態に従って、ＤＲＸ非活動タイマーが満了する時に、ＤＲＸ短期サイクルおよびＤＲＸ長期サイクルを選択するための方法フローチャートである。
【図７】ＤＲＸオン期間タイマーが満了する時に、ＤＲＸ短期サイクルおよびＤＲＸ長期サイクルを選択するための方法フローチャートである。
【発明を実施するための形態】
【０００９】
以下を参照する場合、用語「無線送信／受信ユニット（ＷＴＲＵ）」は、ユーザ機器（ＵＥ）、移動局、固定式または移動式加入者ユニット、ポケットベル、携帯電話、パーソナルデジタルアシスタント（ＰＤＡ）、コンピュータ、または無線環境において動作できるその他の種類のユーザデバイスを含むが、これに限らない。以下を参照する場合、用語「基地局」は、ノードＢ、サイトコントローラ、アクセスポイント（ＡＰ）、または無線環境において動作できるその他の種類のインタフェースデバイスを含むが、これに限らない。
【００１０】
図３は、複数のＷＴＲＵ３１０と基地局３２０とを含む無線通信システム３００を示す。図３のように、ＷＴＲＵ３１０は、基地局３２０との通信を行い、基地局３２０は、ネットワーク３３０との通信を行う。３つのＷＴＲＵ３１０と基地局３２０とを図３に示しているが、このような無線デバイスの任意の組み合わせも無線通信システム３００に含むことができることに留意されたい。
【００１１】
図４は、図３に示した無線通信システム３００のＷＴＲＵ３１０および基地局３２０の機能ブロック図４００である。図４に示すように、ＷＴＲＵ３１０は、基地局３２０との通信を行う。典型的なＷＴＲＵに見られるコンポーネントに加えて、ＷＴＲＵ３１０は、プロセッサ４１５、受信器４１６、送信器４１７、およびアンテナ４１８を含む。プロセッサ４１５は、ＤＲＸタイマー即ち、ＤＲＸ非活動タイマー４１０、ＤＲＸ再送信タイマー４１１、ＤＲＸ短期サイクルタイマー４１２、ＤＲＸ長期サイクルタイマー４１３、ＤＲＸオン期間タイマー４１４、およびＨＡＲＱ  ＲＴＴタイマー４１９と共に、RRC_Connectedモード中にＤＲＸタイマーを設定してＤＲＸサイクル長を選択するための本明細書で開示される方法を行うように構成される。受信器４１６および送信器４１７は、プロセッサ４１５との通信を行う。アンテナ４１８は、受信器４１６と送信器４１７との両方と通信を行って、無線データの送受信を容易にする。
【００１２】
典型的な基地局に見られるコンポーネントに加えて、基地局３２０は、プロセッサ４２５、受信器４２６、送信器４２７、およびアンテナ４２８を含む。プロセッサ４２５は、RRC_Connectedモード中にＷＴＲＵ  ＤＲＸサイクルを制御するためのＭＡＣ制御要素を定義して送信するように構成される。受信器４２６および送信器４２７は、プロセッサ４２５との通信を行う。アンテナ４２８は、受信器４２６と送信器４２７との両方と通信を行って、無線データの送受信を容易にする。
【００１３】
第１の実施形態において、ＤＲＸ非活動タイマー４１０の満了に対して、ＤＲＸ短期サイクルタイマー４１２、ＤＲＸ長期サイクルタイマー４１３、ＤＲＸ短期サイクル、およびＤＲＸ長期サイクルの動作に対するＷＴＲＵ３１０の動きが定義される。ここで、ＤＲＸ短期サイクルタイマー４１２は、ＤＲＸ短期サイクルを開始すべき時にあらかじめ定義された時間などの周知の時間境界から開始する。ＤＲＸ短期サイクルタイマー４１２は、ＤＲＸ非活動タイマー４１０が満了してもすぐには開始しない。代わりに、ＤＲＸ短期サイクルタイマー４１２は、トリガされるＤＲＸ短期サイクルタイマー４１２の周知の時間境界であるサブフレームまたはＴＴＩにおいて、ＤＲＸ非活動タイマー４１０の満了後にトリガされる。このようにして、ＤＲＸ短期サイクルは、より簡単にＤＲＸ長期サイクルと同期することができる。
【００１４】
ＤＲＸサイクルタイマーの異なるシナリオに対処するために、ＷＴＲＵ３１０に対していくつかの選択を以下に提示する。
【００１５】
第１のシナリオにおいて、ＤＲＸ短期サイクルタイマーに加えて、ＤＲＸ長期サイクルタイマーが使用される。ＤＲＸ長期サイクルタイマーは、ＤＲＸ非活動タイマーが満了した後に、ＷＴＲＵ３１０がＤＲＸ長期サイクルに従わなければならない連続するサブフレームの数を指定するパラメータである。この実施形態において、ＤＲＸ長期サイクルタイマー４１３とＤＲＸ短期サイクルタイマー４１２との両方は、構成されたＤＲＸサイクルの開始時に各タイマーが開始されて、同時に実行される。そのため、ＤＲＸ短期サイクルタイマー４１２は、他の要因によってトリガされず、自動で開始して満了する（例えば、ＤＲＸ非活動タイマー４１０が満了するか否かにとらわれない）。ＤＲＸ短期サイクルタイマー４１２は、構成されたＤＲＸサイクルが終了するまでＤＲＸ長期サイクルの開始と同調する（ＤＲＸ長期サイクルの一部分になる）。
【００１６】
図５は、ＤＲＸ非活動タイマー４１０が満了する時に、第１のシナリオに従ったＤＲＸサイクルタイマーの動作に対する方法フローチャート５００を示す。５０１において、ＤＲＸ非活動タイマー４１０は、下り方向のサブフレームにおいて満了する。次に、ＤＲＸ短期サイクルが構成されているか否かに関する判定が５０２において行われる。プロセッサ４１５は、ＤＲＸ短期サイクルが構成されない場合、５０５においてＤＲＸ長期サイクルに入る。ＤＲＸ短期サイクルが構成された場合、ＷＴＲＵプロセッサ４１５は、ＤＲＸ短期サイクルタイマー４１２が満了したかどうかを５０３において判定する。ＤＲＸ短期サイクルタイマー４１２が満了していない場合、プロセッサ４１５は、５０４においてＤＲＸ短期サイクルに入る。プロセッサ４１５は、ＤＲＸ短期サイクルタイマー４１２が５０３において満了した場合、５０６において、ＤＲＸ長期サイクルに入るまたはＤＲＸ短期サイクルタイマー４１２を開始する。５０６において、ＤＲＸ長期サイクルを用いるか、またはＤＲＸ短期サイクルタイマー４１２を開始するか否かを、どちらの選択に対してもＲＲＣ設定処理中にｅノードＢ３２０によってあらかじめプログラムすることができ、または構成することができる。ＤＲＸ短期サイクルタイマーの選択が実装されて、それが下り方向のサブフレームにおいて満了した場合、プロセッサ４１５は、ＤＲＸ長期サイクルを用いる。
【００１７】
第２のシナリオにおいて、ＤＲＸ長期サイクルタイマー４１３とＤＲＸ短期サイクルタイマー４１２との両方は、構成されたＤＲＸサイクルの開始時に開始されて、ＤＲＸ短期サイクルタイマー４１２を、ｅノードＢ３２０によって終結できる。例えば、ｅノードＢ３２０は、ＷＴＲＵ３１０に対する命令をＭＡＣ制御要素（ＣＥ）に送って、ＤＲＸ短期サイクルタイマーを終結できる。いったんＤＲＸ短期サイクルタイマー４１２が終結すると、プロセッサ４１５は、ＤＲＸ短期サイクルタイマー４１２をリスタートして、ＤＲＸ短期サイクルを用いる。
【００１８】
第３のシナリオにおいて、任意のＤＲＸ短期サイクルがトリガされる前に、ＤＲＸ長期サイクルが用いられる。言い換えれば、ＤＲＸ長期サイクルは、デフォルトＤＲＸサイクルである。
【００１９】
以下の手法を使用して、第２および第３のシナリオにおいて同期を達成する。ＷＴＲＵ３１０に対するＤＲＸ長期サイクルタイマー４１３の経過時間を用いて、ＤＲＸ短期サイクルもしくはＤＲＸ長期サイクルに入るか、またはＤＲＸ短期サイクルタイマー４１２を開始するか否かを判定する。１ＤＲＸ長期サイクルが１ＤＲＸ短期サイクル長のＮ倍であると仮定すると（例えば、Ｎ（ＤＲＸ短期サイクル長））、その関係は、
ＤＲＸ長期サイクル長＝Ｎ（ＤＲＸ短期サイクル長）
となり、ここでＮは整数である。
【００２０】
図６は、第２または第３のシナリオの場合に、ＷＴＲＵ３１０がＤＲＸ長期サイクルまたはＤＲＸ短期サイクルに入るための方法フローチャートを示す。現在の下り方向のフレームに対して、ＤＲＸ非活動タイマー４１０が６０１において満了すると、６０２においてＤＲＸ短期サイクルが構成されているか否かに関する判定が行われる。ＤＲＸ短期サイクルが構成された場合、プロセッサ４１５は、６０３において、ＤＲＸ長期サイクルタイマー４１３の開始からの経過時間とＤＲＸ短期サイクル長とを比較する。Ｍは整数でＭ≦Ｎとする条件で、ＤＲＸ長期サイクルタイマー４１３の経過時間がＭ（ＤＲＸ短期サイクル長）に等しい場合、プロセッサ４１５は、６０６においてＤＲＸ短期サイクルタイマー４１２を開始する。あるいは、６０６においてプロセッサ４１５は、ＤＲＸ長期サイクルに入ることができる。ＤＲＸ長期サイクルを用いるか、またはＤＲＸ短期サイクルタイマーを開始するか否かを、どちらの選択に対してもＲＲＣ設定処理中にｅノードＢ３２０によってあらかじめプログラムすることができ、または構成することができる。６０３において、プロセッサ４１５が、ＤＲＸ長期サイクルタイマー４１３の経過時間がＭ（ＤＲＸ短期サイクル長）よりも短いと判定した場合、プロセッサ４１５は、６０６においてＤＲＸ短期サイクルタイマー４１２を開始するまたはＤＲＸ長期サイクルに入る前に、６０４においてその経過時間がＭ（ＤＲＸ短期サイクル長）に等しくなるまで待つ。あるいは、６０３において、ＤＲＸ長期サイクルタイマー４１３の経過時間がＭ（ＤＲＸ短期サイクル長）よりも長い場合、プロセッサ４１５は、ＤＲＸ長期サイクルタイマー４１３の経過時間であるサブフレームまたはＴＴＩが（Ｍ＋１）（ＤＲＸ短期サイクル長）に等しくなるまで待ち、次に、６０６においてＤＲＸ短期サイクルタイマー４１２を開始するまたはＤＲＸ長期サイクルに入る。プロセッサ４１５は、６０６においてＤＲＸ短期サイクルタイマー４１２を開始せずにＤＲＸ長期サイクルに入ることができる。
【００２１】
ＤＲＸ短期サイクルが構成されているか否かに関する６０２における最初の判断に戻り、ＷＴＲＵは、ＤＲＸ短期サイクルが構成されない場合、６０７においてＤＲＸ長期サイクルに入る。
【００２２】
第２の実施形態において、ＤＲＸオン期間タイマー４１４の満了に対して、ＤＲＸ短期サイクルタイマー４１２、ＤＲＸ長期サイクルタイマー４１３、ＤＲＸ短期サイクル、およびＤＲＸ長期サイクルの動作に対するＷＴＲＵの動きが定義される。ＤＲＸオン期間タイマー４１４が満了する時に、ＷＴＲＵプロセッサ４１５がＤＲＸ短期サイクルまたはＤＲＸ長期サイクルを選択するための方法フローチャート７００を図７に示す。７０１においてＤＲＸオン期間タイマー４１４が下り方向のサブフレームにおいて満了した後、７０２においてプロセッサ４１５は、ＤＲＸ短期サイクルが構成されているか否かを判定する。ＤＲＸ短期サイクルが構成された場合、プロセッサ４１５は、７０３においてＤＲＸ短期サイクルタイマー４１２を開始して、ＷＴＲＵプロセッサ４１５は、７０４においてＤＲＸ短期サイクルに入る。７０２においてＤＲＸ短期サイクルが構成されない場合、ＷＴＲＵプロセッサ４１５は、７０６においてＤＲＸ長期サイクルに入る。
【００２３】
あるいは、プロセッサ４１５は、現在のＤＲＸ長期サイクルの開始からの経過時間がＤＲＸ短期サイクル長の整数Ｎ倍（即ち、Ｎ（ＤＲＸ短期サイクル長））に等しい時に、（７０３における）サブフレームにおいてＤＲＸ短期サイクルタイマー４１２を開始することができる。
【００２４】
この実施形態の変形において、ＷＴＲＵプロセッサ４１５は、ＤＲＸ短期サイクルが７０２において構成されているか否かにかかわらず、下り方向のサブフレームにおいてＤＲＸオン期間タイマー４１４が満了すると、直接ＤＲＸ長期サイクルに入ることができる。
【００２５】
第３の実施形態において、ＤＲＸ  ＭＡＣ  ＣＥは、ＷＴＲＵ３１０に信号を送って実行中の任意のＤＲＸタイマーを終結するように定義され、ＷＴＲＵの動きは、ＤＲＸ  ＭＡＣ  ＣＥの受信に応答するように定義される。この実施形態の第１のシナリオにおいて、ＤＲＸ  ＭＡＣがＷＴＲＵ３１０に信号を送って、ＤＲＸオン期間タイマー４１４およびＤＲＸ非活動タイマー４１０を停止するように、ＤＲＸコマンドを定義する。これは、ＷＴＲＵプロセッサ４１５が、現在のＤＲＸサイクルの合図（reminder）を最初に送信するＰＤＣＣＨの監視および復号を停止することができることを、ＷＴＲＵプロセッサ４１５に表示する。それに応じて、ＷＴＲＵ３１０の動きは、以下のように定義される。
【００２６】
ＤＲＸサイクルが構成されていて、ＷＴＲＵ３１０がＤＲＸ  ＣＥを含む下り共有チャネル（ＤＬ−ＳＣＨ：downlink-shared channel）上でＭＡＣ  ＰＤＵを受信する時、ＤＲＸオン期間タイマー４１４およびＤＲＸ非活動タイマー４１０は、サブフレームまたはＴＴＩ期間に停止される。ＤＲＸオン期間タイマー４１４およびＤＲＸ非活動タイマー４１０がこのサブフレームまたはＴＴＩにおいて停止される時に実行中のタイマー（例えば、ＤＲＸ再送信タイマー）が他にない場合、およびＤＲＸ短期サイクルが構成された場合、プロセッサ４１５は、ＤＲＸ短期サイクルタイマー４１２を開始して、ＤＲＸ短期サイクルを用いる。ＤＲＸ短期サイクルが構成されない場合、プロセッサ４１５は、ＤＲＸ長期サイクルに入る。
【００２７】
この実施形態の変形として、ＤＲＸオン期間タイマー４１４があらかじめ決められた数の連続回数で終結されて、どのＤＲＸ非活動タイマー４１０も実行していない場合、ＷＴＲＵは、ＤＲＸ長期サイクルタイマー４１３を開始する。
【００２８】
ＭＡＣ制御要素（ＣＥ）を定義して、下り方向および上り方向の送信に関連する一部またはすべての実行中のタイマーをＤＲＸサイクル期間に停止できる。ＤＲＸ動作中に、上り方向の送信および下り方向の送信に関連する一部またはすべての実行中のタイマーの停止を識別するように定義されたＭＡＣ  ＣＥには、さまざまな種類があり得る。例えば、ＷＴＲＵ３１０が下り方向に関連するＤＲＸ  ＭＡＣ  ＣＥを受信した場合、ＷＴＲＵプロセッサ４１５は、関連するすべてのタイマー（例えば、ＤＲＸオン期間タイマー４１４、ＤＲＸ非活動タイマー４１０、ＤＲＸ再送信タイマー４１１、およびＨＡＲＱ  ＲＴＴタイマー４１９）を停止する。ＷＴＲＵ３１０も、下り方向に関連するすべての受信を一時停止して、ＨＡＲＱバッファ内に保存されたデータをフラッシュする。逆に、ＷＴＲＵ３１０が上り方向に関連するＤＲＸ  ＭＡＣ  ＣＥを受信した場合、ＷＴＲＵプロセッサ４１５は、上り方向の送信に関連するすべてのタイマーをＤＲＸ期間中に停止する。ＷＴＲＵ３１０も、上り方向に関連するすべての受信を一時停止して、バッファ内に保存されたデータをフラッシュする。
【００２９】
ＤＲＸ  ＭＡＣ  ＣＥにはいくつかの種類があり、ＤＲＸ  ＭＡＣ  ＣＥを用いて、ある目的でＤＲＸタイマーを停止することができる。例を挙げると、ＤＲＸ  ＭＡＣ  ＣＥは、唯一強制して下り方向に関連するＤＲＸタイマーを停止させ、唯一強制して上り方向に関連するＤＲＸタイマーを停止させ、または強制してＤＲＸに関連する（下り方向／上り方向の）すべてのタイマーを停止させることができる。
【００３０】
ＤＲＸ  ＭＡＣ  ＣＥを用いて、強制してＷＴＲＵ３１０を、上述したＤＲＸスリープ期間に再度入らせる時に、どの種類のＤＲＸ  ＭＡＣ  ＣＥが用いられたとしても、ＤＲＸ短期サイクルまたはＤＲＸ長期サイクルに入るか否かを予測するために、以下の選択がＷＴＲＵプロセッサ４１５に使用できる。第１の選択において、ｅノードＢ３２０は、ＤＲＸ  ＭＡＣ  ＣＥ信号をＷＴＲＵ３１０に送信する。その信号は、ＷＴＲＵ３１０がＤＲＸ短期サイクルまたはＤＲＸ長期サイクルに入るべきか否かに関して、ＷＴＲＵ３１０に明示的に通知する。ＤＲＸ  ＭＡＣ  ＣＥの１ビット表示を、この明示的な信号に用いることができる。第２の選択として、ＤＲＸ  ＭＡＣ  ＣＥは唯一、ＤＲＸに関連するタイマーを停止して、次に、ＷＴＲＵ３１０は、ＤＲＸ短期サイクルに入る。第３の選択として、ＤＲＸ  ＭＡＣ  ＣＥは唯一、ＤＲＸに関連するタイマーを停止して、次に、ＷＴＲＵプロセッサ４１５は、ＤＲＸ長期サイクルに入る。
【００３１】
さらに、上り方向に関連する活動タイマーが満了または停止される時に、ＤＲＸ短期サイクルが構成された場合、ＷＴＲＵプロセッサ４１５は、ＤＲＸ短期サイクルタイマーを開始して、ＤＲＸ短期サイクルを用いる。ＤＲＸ短期サイクルが構成されない場合、ＷＴＲＵプロセッサ４１５は、ＤＲＸ長期サイクルを用いる。
【００３２】
（実施形態）
１、間欠受信（ＤＲＸ：discontinuous reception）サイクルの種類を、ＤＲＸ短期サイクルまたはＤＲＸ長期サイクルとして選択する方法であって、前記ＤＲＸ長期サイクルは、前記ＤＲＸ短期サイクルよりも長いスリープ期間を有し、周知の時間境界の間にＤＲＸ短期サイクルを開始することを備えることを特徴とする方法。
２、前記周知の時間境界は、ＤＲＸ短期サイクル（ＳＤＣ：short DRX cycle）の開始であることを特徴とする実施形態１における方法。
３、ＤＲＸ短期サイクルタイマーは、ＤＲＸ非活動タイマーが満了する時にトリガされることを特徴とする前記実施形態のいずれかにおける方法。
４、ＤＲＸ長期サイクルタイマーと前記ＤＲＸ短期サイクルタイマーとは、構成されたＤＲＸサイクルの開始時に開始することを特徴とする前記実施形態のいずれかにおける方法。
５、前記ＤＲＸ短期サイクルタイマーは、自動で開始し、および満了することを特徴とする前記実施形態のいずれかにおける方法。
６、前記ＤＲＸ非活動タイマーが満了する時に前記ＤＲＸサイクルタイマーをリスタートするための方法であって、
前記ＳＤＣが構成されているか否かを判定すること、および
前記ＳＤＣが満了したという条件で前記ＳＤＣを用いること
を備えることを特徴とする方法。
７、前記ＳＤＣが構成されていないか、または前記ＳＤＣが満了したことのいずれかの条件で前記ＤＲＸ長期サイクル（ＬＤＣ：long DRX cycle）を用いることをさらに備えることを特徴とする前記実施形態のいずれかにおける方法。
８、前記ＤＲＸ短期サイクルタイマーを開始することをさらに備えることを特徴とする前記実施形態のいずれかにおける方法。
９、前記ＬＤＣを用いるか、前記ＤＲＸ短期サイクルタイマーを開始するか否かは、ｅノードＢによってあらかじめプログラムされ、または構成されることを特徴とする前記実施形態のいずれかにおける方法。
１０、前記ＬＤＣを用いるか、前記ＤＲＸ短期サイクルタイマーを開始するか否かは、前記ｅノードＢによって構成されることを特徴とする前記実施形態のいずれかにおける方法。
１１、前記ＤＲＸ短期サイクルタイマーの選択が実施され、およびそれが下り方向（ＤＬ：downlink）のサブフレームにおいて満了した場合、前記ＬＤＣが用いられることを特徴とする前記実施形態のいずれかにおける方法。
１２、ＤＲＸ短期サイクルタイマーは、前記ｅノードＢによって終結されることを特徴とする前記実施形態のいずれかにおける方法。
１３、ＷＴＲＵに前記ＤＲＸ長期サイクルタイマーの経過時間を用いて、前記ＳＤＣもしくは前記ＬＤＣに入るか、前記ＤＲＸ短期サイクルタイマーを開始するか否かを判定することを特徴とする前記実施形態のいずれかにおける方法。
１４、ＤＲＸ非活動タイマーが満了する時にＤＲＸサイクルタイマーをリスタートするための方法であって、
前記ＳＤＣが構成されているか否かを判定すること、
現在のＤＲＸ長期サイクルタイマーの開始からの経過時間をチェックすること、
前記経過時間が前記ＳＤＣのＭ倍数に等しいか否かを判定すること、および
前記経過時間が前記ＳＤＣのＭ倍数に等しいという条件で前記ＤＲＸ短期サイクルタイマーを開始すること
を備えることを特徴とする方法。
１５、前記ＷＴＲＵは、Ｍを整数とする条件で、前記経過時間がＭ  ＳＤＣに等しくなるまで待ち、および前記経過時間がＭ  ＳＤＣよりも短いという条件で前記ＤＲＸ短期サイクルタイマーをそのサブフレームにおいて開始することを特徴とする実施形態１４の方法。
１６、前記ＷＴＲＵは、前記経過時間が（Ｍ＋１）ＳＤＣに等しくなるまで待ち、および前記経過時間がＭ ＳＤＣよりも長いという条件で前記ＤＲＸ短期サイクルタイマーをそのサブフレームにおいて開始することを特徴とする実施形態１５の方法。
１７、ＬＤＣを用いることをさらに備えることを特徴とする実施形態１５の方法。
１８、無線リソース制御（ＲＲＣ：radio resource control）設定処理中にｅノードＢから構成データを受信することをさらに備えることを特徴とする実施形態１５の方法。
１９、ＤＲＸ短期サイクルタイマーを開始せずにＬＤＣを用いることをさらに備えることを特徴とする実施形態１５の方法。
２０、無線送信／受信ユニット（ＷＴＲＵ：wireless transmit/receive unit）の間欠受信（ＤＲＸ：discontinuous reception）のための方法であって、
前記ＳＤＣが構成されているか否かを判定すること、
前記ＤＲＸ短期サイクルタイマーを開始すること、および
前記ＳＤＣを用いること
を備えることを特徴とする方法。
２１、前記現在のＤＲＸ長期サイクルの開始からの経過時間が、前記ＤＲＸ短期サイクル長のｎ倍である時に、前記サブフレームにおいて前記ＤＲＸ短期サイクルタイマーを開始することをさらに備えることを特徴とする前記実施形態のいずれかにおける方法。
２２、前記ＤＲＸ長期サイクルを用いることをさらに備えることを特徴とする前記実施形態のいずれかにおける方法。
２３、前記ＷＴＲＵは、前記ＤＲＸオン期間（ＯＤ：on duration）タイマーがあらかじめ決められた数の連続回数を満了するという条件で前記ＤＲＸ長期サイクルタイマーを開始することを特徴とする前記実施形態のいずれかにおける方法。
２４、送信時間間隔（ＴＴＩ：transmission time interval）期間に前記ＤＲＸ  ＯＤタイマーと前記ＤＲＸ非活動タイマーとを終結することをさらに備えることを特徴とする前記実施形態のいずれかにおける方法。
２５、前記無線送信／受信ユニット（ＷＴＲＵ：wireless transmit/receive unit）が前記ＤＲＸ短期サイクルタイマーを開始する、および前記ＤＲＸ  ＯＤタイマーと前記ＤＲＸ非活動タイマーとが終結される時に実行中のタイマーが他にないという条件で前記ＳＤＣを用いることを特徴とする実施形態２４における方法。
２６、前記ＷＴＲＵは、前記ＤＲＸ  ＯＤタイマーがＮ連続回数で終結される、およびどのＤＲＸ非活動タイマーも実行していないという条件で前記ＤＲＸ長期サイクルタイマーを開始することを特徴とする前記実施形態のいずれかにおける方法。
２７、２つの異なる媒体アクセス制御（ＭＡＣ：media access control）の制御要素（ＣＥ：control element）は、ＤＲＸ動作中に上り方向の（ＵＬ：uplink）送信に関連する実行中の任意のタイマーを終結するために用いられる第１のＭＡＣ  ＣＥと、下り方向の送信に関連する第２のＭＡＣ  ＣＥとを含む前記実行中のタイマーを終結するために用いられることを特徴とする前記実施形態のいずれかにおける方法。
２８、ＤＬに関連するＭＡＣ  ＣＥを受信すること、および
関連するすべてのタイマーを終結すること
をさらに備えることを特徴とする前記実施形態のいずれかにおける方法。
２９、ＤＬに関連するすべての受信を一時停止すること、および
バッファ内に保存されたデータをフラッシュすること
をさらに備えることを特徴とする前記実施形態のいずれかにおける方法。
３０、上り方向に関連するＭＡＣ ＣＥを受信すること、および
ＤＲＸ期間中に前記上り方向の送信に関連するすべてのタイマーを終結すること
をさらに備えることを特徴とする前記実施形態のいずれかにおける方法。
３１、強制してＷＴＲＵをＤＲＸスリープ期間に再度入らせることをさらに備えることを特徴とする前記実施形態のいずれかにおける方法。
３２、ＤＲＸ  ＭＡＣ  ＣＥ信号を受信することであって、前記信号は、前記ＷＴＲＵに、それがＳＤＣまたはＬＤＣに入るべきか否かに関して明示的に通知することをさらに備えることを特徴とする前記実施形態のいずれかにおける方法。
３３、前記ＤＲＸ  ＭＡＣ  ＣＥの１ビット表示は、前記明示的な信号送信に用いられることを特徴とする実施形態３２における方法。
３４、前記ＤＲＸ  ＭＡＣ  ＣＥは唯一、強制して前記ＤＲＸに関連するタイマーを満了させることを特徴とする実施形態３２における方法。
３５、前記ＷＴＲＵは、前記ＤＲＸ短期サイクルタイマーを開始する、および前記ＵＬに関連する非活動タイマーが満了するという条件で前記ＳＤＣを用いることを特徴とする実施形態３２における方法。
３６、実施形態１−３５のいずれかにおける方法を行うように構成されることを特徴とする無線送信／受信ユニット（ＷＴＲＵ：wireless transmit/receive unit）。
【００３３】
特徴および要素を特定の組み合わせにおいて上述しているが、各特徴または要素を、他の特徴および要素を用いずに単独で、または他の特徴および要素の有無にかかわらずさまざまな組み合わせにおいて用いることができる。本明細書で与えられた方法またはフローチャートを、汎用コンピュータまたはプロセッサによって実行するためにコンピュータ可読ストレージ媒体に組み込まれたコンピュータプログラム、ソフトウェア、またはファームウェアに実装できる。コンピュータ読取り可能記憶媒体の例は、リードオンリーメモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、ＣＤ−ＲＯＭディスクなどの光磁気媒体、ならびにデジタル多用途ディスク（ＤＶＤ）などの光媒体を含む。
【００３４】
適切なプロセッサは、例を挙げると、汎用プロセッサ、専用プロセッサ、標準プロセッサ、デジタル信号プロセッサ（ＤＳＰ）、複数のマイクロプロセッサ、ＤＳＰコアと連動する１または複数のマイクロプロセッサ、コントローラ、マイクロコントローラ、アプリケーション専用集積回路（ＡＳＩＣ）、フィールドプログラマブルゲートアレイ（ＦＰＧＡ）回路、その他の種類の集積回路（ＩＣ）、および／またはステートマシンを含む。
【００３５】
ソフトウェアと関連するプロセッサを用いて、無線送受信ユニット（ＷＴＲＵ）、ユーザ機器（ＵＥ）、端末機、基地局、無線ネットワークコントローラ（ＲＮＣ）、または任意のホストコンピュータに用いるために無線周波数トランシーバを実装できる。ＷＴＲＵを、カメラ、ビデオカメラモジュール、ビデオフォン、スピーカフォン、振動デバイス、スピーカ、マイクロフォン、テレビトランシーバ、ハンズフリーヘッドセット、キーボード、ブルートゥース（登録商標）モジュール、周波数変調（ＦＭ）無線ユニット、液晶画面（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）またはウルトラワイドバンド（ＵＷＢ）モジュールなどのハードウェアおよび／またはソフトウェアに実装されるモジュールとともに用いることができる。
【図１】
0005879450.tif 000002
【図２】
0005879450.tif 000003
【図３】
0005879450.tif 000004
【図４】
0005879450.tif 000005
【図５】
0005879450.tif 000006
【図６】
0005879450.tif 000007
【図７】
0005879450.tif 000008